(57)【特許請求の範囲】
【請求項１】
人感センサの検出信号によって照明器具を点灯させる照明装置であって、
屋内に設置される照明手摺りに内蔵された上記照明器具の光源と、
屋内に上記照明手摺りと分離されて設けられ、長手方向両端にこの長手方向に対して所定の角度で傾斜した取付け面を有する取付け部が設けられ、上記取付け面に上記人感センサが設けられているとともに、上記人感センサの検出信号が入力される制御部を有する制御ボックスと、
この制御ボックスに設けられ上記人感センサに作動電圧を印加するとともに、上記制御部に上記人感センサからの検出信号が入力されることで上記制御部を介して上記照明器具の光源を点灯させる電圧を供給する電源用電池と
を具備したことを特徴とする照明装置。
【発明の詳細な説明】
【技術分野】
【０００１】
この発明は人感センサが検知する検出信号によって照明器具を点灯させる照明装置に関する。
【背景技術】
【０００２】
家屋には、たとえば各部屋の内部は勿論のこと、部屋以外の共用部分である階段、廊下、或いはトイレなどの種々の箇所に照明器具が設けられている。部屋に設けられる照明器具は、通常、部屋の入り口近くの壁面に手動式のスイッチを設け、そのスイッチによって点灯させるようにしている。
【０００３】
また、階段、廊下、或いはトイレなどの共用部分に設けられる照明器具は、その部分の近くに手動式のスイッチを設け、利用者がその場所に近づいたならば、スイッチを操作して照明器具を点灯させるようにしている。
【０００４】
しかしながら、手動式のスイッチによって種々の場所に設けられた照明器具を点灯させるようにすると、夜間に上記スイッチを安全かつ確実に操作できないということがある。とくに、廊下や階段などに設けられた照明器具を点灯させる場合、廊下に置かれた物品にぶつかったり、階段から足を踏み外してしまうなどのことがあり、好ましくない。
【０００５】
そこで、室内や階段、廊下、或いはトイレなどの共用部分に設置される照明器具を、手動式のスイッチに代わり、上記照明器具の設置場所の近くに人感センサを設け、その人感センサによって人が近付いたことを検出したならば、その検出信号で上記照明器具を点灯させるようにするということが行われるようになってきている。
【０００６】
特許文献１には照明器具が照明する領域に人が近づいたならば、そのことを人感センサによって検出し、その検出信号に基づいて照明器具を点灯させるようにした照明装置が示されている。
【０００７】
特許文献１に示された照明装置は、家屋のたとえば廊下の階段の壁面に設置された照明器具に商用電源を接続する。上記照明器具には人感センサが電源線及び信号線によって接続されている。この人感センサは上記照明器具の近くの壁面に取付けるようにしている。
【０００８】
したがって、夜間に利用者が階段に近づき、そのことが人感センサによって検出されると、その検出信号で上記照明器具が点灯されるようになっている。
【先行技術文献】
【特許文献】
【０００９】
【特許文献１】特開２００７−３３５２７３号公報
【発明の概要】
【発明が解決しようとする課題】
【００１０】
ところで、特許文献１に示される照明装置は、照明器具と人感センサとに商用電源によって作動電力を供給するようにしている。そのため、リフォームによって新たに照明装置及び人感センサを設置する場合、人感センサと照明器具を単に信号線によって接続するだけでなく、商用電源に接続された電源線によって人感センサと照明器具に給電できるようにしなければならない。
【００１１】
しかしながら、一般的な家屋では、商用電源に接続された電源線は通常、天井や壁の内部、或いは床下などに通されている。そのため、壁面に新たに人感センサ及び人感センサによって作動する照明器具を設ける場合、照明器具や人感センサに対して商用電源に接続された電源線の配線工事を、たとえば壁面や床面を壊したり、天井裏に入り込んだりして行わなければならないということがあるから、その配線工事を行うために多くの手間や費用が掛かるということが生じる。
【００１２】
つまり、リフォームによって新たに人感センサによって作動する照明器具を設置する場合、その設置に多くの手間が掛かるということがあった。
【００１３】
この発明は、商用電源を用いることなく、人感センサや照明器具に作動電力を供給できるようにすることで、人感センサ及びこの人感センサの検出に基づいて点灯する照明器具の新たな設置を容易に行なうことができるようにした照明装置を提供することにある。
【課題を解決するための手段】
【００１４】
この発明は、人感センサの検出信号によって照明器具を点灯させる照明装置であって、
屋内に設置される照明手摺りに内蔵された上記照明器具の光源と、
屋内に上記照明手摺りと分離されて設けられ、長手方向両端にこの長手方向に対して所定の角度で傾斜した取付け面を有する取付け部が設けられ、上記取付け面に上記人感センサが設けられているとともに、上記人感センサの検出信号が入力される制御部を有する制御ボックスと、
この制御ボックスに設けられ上記人感センサに作動電圧を印加するとともに、上記制御部に上記人感センサからの検出信号が入力されることで上記制御部を介して上記照明器具の光源を点灯させる電圧を供給する電源用電池と
を具備したことを特徴とする照明装置にある。
【００１５】
上記照明器具の光源は屋内に設置される手摺りに内蔵されていることが好ましい。
【００１６】
上記制御ボックスの長手方向両端には、この長手方向に対して所定の角度で傾斜した取付け面を有する取付け部が設けられていて、上記人感センサは上記取付け面に設けられていることが好ましい。
【００１７】
上記制御ボックスの長手方向両端に設けられた一対の取付け部のうち、少なくとも一方は上記制御ボックスと分離可能であることが好ましい。
【００１８】
上記照明器具の光源は発光ダイオードであることが好ましい。
【発明の効果】
【００１９】
この発明によれば、制御ボックスに人感センサの検出信号が入力される制御部及び電源用電池を設け、この電源用電池によって上記人感センサと照明器具の光源に給電するようにしたから、新たに人感センサと照明器具を設ける場合、これらを制御ボックスの電源に接続すればよいから、設置のための配線工事を簡単かつ容易に行なうことが可能となる。
【図面の簡単な説明】
【００２０】
【図１】この発明の第１の実施の形態を示す照明装置の取付け状態の説明図。
【図２】制御ボックスの本体部及びこの本体部から取り外されたカバーを示す平面図。
【図３】同じく制御ボックスのカバーが取り外された状態の側面図。
【図４】照明手摺りの正面図。
【図５】発光ダイオードの制御系統を示すブロック図。
【図６】制御ボックスの両端に設けられた人感センサの検出範囲を示す図。
【図７】この発明の第２の実施の形態を示す照明装置の取付け状態の説明図。
【図８】図７に用いられた制御ボックスの正面図。
【図９】この発明の第３の実施の形態を示す制御ボックスの正面図。
【図１０】この発明の第４の実施の形態の制御ボックスを示す正面図。
【図１１】同じく制御ボックスの側面図。
【図１２】同じく制御ボックスの人感センサが設けられた部分の横断面図。
【発明を実施するための最良の形態】
【００２１】
以下、この発明の実施の形態を図面を参照しながら説明する。  
図１乃至図６はこの発明の第１の実施の形態であって、図１は寝室１とトイレ２との間の廊下３の壁面３ａに照明器具としての照明手摺り４が新たに設けられる場合の例を示している。
【００２２】
上記照明手摺り４は、図４に示すように筒状の手摺り部５を有し、この手摺り部５の両端には手摺り部５の端部が嵌入されるエルボ状の管体６ａ及び取付け板６ｂからなる取付け具６が設けられている。そして、上記取付け具６の取付け板６ｂが上記壁面３ａにねじなどによって取付け固定される。上記照明手摺り４は、図１に示すように上記廊下３の側壁３ａのトイレ２に近い位置に設けられている。
【００２３】
上記手摺り部５の周壁の長手方向両端部の下方には透光性の照明窓７が形成されている。上記手摺り部５の内部の上記照明窓７と対向する部位には光源としての発光ダイオード８が設けられている。  
なお、発光ダイオード８は手摺り部５の内部でなく、上記取付け具６に設け、この取付け具６に照明窓（図示せず）を形成するようにしてもよい。
【００２４】
上記壁面３ａの上記寝室１とトイレ２との中間の位置には、制御ボックス１１が水平に取付けられている。この制御ボックス１１は、図２と図３に示すように前面が開口した細長い箱型の本体部１２及びこの本体部１２の前面開口に着脱可能に設けられるカバー１３から構成されていて、上記本体部１２がたとえば両面粘着テープなどによって上記壁面３ａに接着固定される。
【００２５】
図２に示すように、上記本体部１２の内部の長手方向の一端部には制御部としての制御基板１４が設けられ、他の部分には電源用電池としての複数の乾電池１５が互いに電気的に接続されて収容されている。
【００２６】
上記本体部１２の長手方向の両端には傾斜面１６を有する取付け部材１７が設けられている。上記傾斜面１６は、上記本体部１２の長手方向外方に向かって次第に低くなるよう傾斜していて、その傾斜角度はたとえば４５度に設定されている。
【００２７】
上記取付け部材１７の傾斜面１６にはたとえば赤外線センサなどからなる人感センサ１８が設けられている。人感センサ１８はその感知範囲内に人が近づいたときにそのことを検出するようになっている。
【００２８】
上記人感センサ１８を制御ボックス１１の本体部１２の長手方向両端に設けられた取付け部１７の傾斜面１６に取付けたことで、その感知方向を図６に矢印Ｘで示すよう上記本体部１２の長手方向と、矢印Ｙで示す壁面３ａの前方向に拡大することができる。
【００２９】
そして、この実施の形態では、上記制御ボックス１１は図１に示すように上記壁面３ａの、上記寝室１とトイレ２の中央に設けられている。それによって、図６に示すＸ方向においては、廊下３の寝室１とトイレ２の間の部分の全長を一対の人感センサ１８による感知範囲になっている。
【００３０】
上記制御ボックス１１に設けられた乾電池１５は、図５に示すように上記照明手摺り４の発光ダイオード８と上記制御ボックス１１に設けられた制御基板１４を介して電源線２１によって接続されている。さらに、乾電池１５は、上記人感センサ１８と上記制御基板１４を介して電源線２１によって接続されている。
【００３１】
上記人感センサ１８の感知範囲内に人が近づき、そのことを上記人感センサ１８が検出すると、検出信号が信号線２２を通じて上記制御基板１４に出力される。検出信号を受けた制御基板１４は、上記乾電池１５によって上記照明手摺り４の発光ダイオード８に上記電源線２１を通じて電力を供給する。それによって、発光ダイオード８が点灯して廊下３が照明されるようになっている。
【００３２】
このような構成の照明装置によれば、制御ボックス１１に乾電池１５を設け、上記制御ボックス１１の両端に設けられた一対の人感センサ１８と、照明手摺り４に設けられた光源としての発光ダイオード８に、電源線２１を通じて上記乾電池１５の電圧を作動電圧として印加できるようにした。
【００３３】
そのため、照明装置を新たに設置する場合、廊下３の壁面３ａに照明手摺り４と制御ボックス１１を設けたならば、配線工事は上記照明手摺り４に設けられた発光ダイオード８と制御ボックス１１に設けられた制御基板１４とを電源線２１によって接続するだけでよいから、その配線工事を容易かつ迅速に行なうことができる。
【００３４】
なお、制御基板１４と乾電池１５との電源線２１による接続及び制御ボックス１１の両端に設けられた一対の人感センサ１８と制御基板１４との電源線２１と信号線２２による配線接続は、制御基板１４が制御ボックス１１内に設けられ、人感センサ１８が設けられた取付け部材１７が制御ボックス１１の両端に設けられているため、制御ボックス１１を組み立てる際に予め行っておくことができる。したがって、それらの配線は照明手摺り４を設置する際に行わずにすむから、そのことによっても照明手摺り４の設置工事を容易に行なうことができる。
【００３５】
しかも、人感センサ１８が設けられた上記制御ボックス１１は、上記発光ダイオード８が設けられた照明手摺り４の近くに設置されるから、そのことによっても発光ダイオード８と制御ボックス１１の制御基板１４との電源線２１による接続作業を容易に行なうことができる。
【００３６】
さらに、発光ダイオード８や人感センサ１８を商用電源に接続せず、制御ボックス１１に設けられた乾電池１５に接続すればよいから、商用電源を供給するための電源線が設けられていないような場所であっても、上記照明手摺り４や人感センサ１８を容易に設置することができる。
【００３７】
さらに、発光ダイオード８が設けられた照明手摺り４と、人感センサ１８が設けられた制御ボックス１１が分離されている。  
そのため、上記制御ボックス１１の両端の取付け部１７の傾斜面１６に設けられた一対の人感センサ１８による検出範囲が図１に矢印Ｒ１で示すように寝室１とトイレ２との間隔とほぼ同じに設定されることで、照明手摺り４をトイレ２寄りに設けても、人感センサ１８が設けられた上記制御ボックス１１を、寝室１とトイレ２と間の中央部分に設けることができる。
【００３８】
それによって、寝室１からトイレ２に向かう人を、寝室１から出るとすぐに制御ボックス１１の長手方向の一端に設けられた人感センサ１８によって検出して照明手摺り４の発光ダイオード８を点灯することができる。同様に、トイレ２から寝室１に向かう人を、トイレ２からでるとすぐに制御ボックス１１の長手方向の他端に設けられた人感センサ１８によって検出して発光ダイオード８を点灯することができる。
【００３９】
つまり、制御ボックス１１を寝室１とトイレ２の間の中央に設けることで、人が寝室１やトイレ２から廊下３に出れば、その人を人感センサ１８によってすぐに検出して廊下３が照明されるので、暗い状態の廊下３で照明手摺り４探さなければならないという状態を招くことがない。
【００４０】
上記人感センサ１８は、上記制御ボックス１１の両端の取付け部材１７の傾斜面１６に取付けられている。傾斜面１６は制御ボックス１１の長手方向外方に向かって低く傾斜している。そのため、上記傾斜面１６に取り付けた人感センサ１８の検出範囲を上記制御ボックス１１の長手方向及び壁面３ａの前方向に拡大できるから、廊下３の寝室１とトイレ２の間にいる人を確実に検出し、その検出に基づいて廊下３を照明することができる。
【００４１】
上記制御ボックス１１に電源となる乾電池１５を設けたり、その両端に取付け部材１７を設け、この取付け部材１７の傾斜面１６に人感センサ１８を設けるようにした。そして、上記制御ボックス１１は人が掴まる照明手摺り４の近くに設けられる。
【００４２】
つまり、乾電池１５や人感センサ１８が設けられた制御ボックス１１は容易に確認できる場所に設けられている。そのため、上記乾電池１５の交換や取付け部材１７の傾斜面１６に取付けられた人感センサ１８の修理点検などを容易に行うことができる。
【００４３】
なお、第１の実施の形態において、制御ボックス１１を寝室１とトイレ２の間の中央に設けたが、人感センサ１８の検出範囲によっては中央以外の箇所に設けるようにしてもよい。
【００４４】
図７と図８はこの発明の第２の実施の形態を示す。この実施の形態は寝室１とトイレ２との間隔Ｒ２が図１に示す間隔Ｒ１に比べて大きくなり、制御ボックス１１の長手方向の両端にそれぞれ人感センサ１８を設けても、寝室１とトイレ２の間の領域の全長、つまり寝室１或いはトイレ２から廊下３に出た人を一対の人感センサ１８の検出範囲とできない場合であって、そのような場合には制御ボックス１１の本体部１２の長手方向一端から取付け部材１７を取外す。
【００４５】
そして、廊下３の寝室１とトイレ２との間の中央を中心にして制御ボックス１１から取り外された取付け部１７に設けられた一方の人感センサ１８と、制御ボックス１１の他端に設けられた他方の人感センサ１８とを対称に設置する。つまり、一対の人感センサ１８を、廊下３が長くなった分だけ間隔を大きくして廊下３の壁面３ａに設置する。そして、制御ボックス１１から取り外された人感センサ１８と、制御ボックス１１に設けられた制御基板１４を信号線２２によって接続する。
【００４６】
このようにすれば、寝室１とトイレ２の間隔が大きくなった場合であっても、寝室１から廊下３に、或いはトイレ２から廊下３に出た人を一対の人感センサ１８によってすぐに検出できるよう一対の人感センサ１８の検出範囲を拡大し、その検出によって廊下３を照明することができる。
【００４７】
図９は制御ボックス１１Ａの変形例を示すこの発明の第３の実施の形態であって、この実施の形態では制御ボックス１１Ａの本体部１２を外側部１２ａと、この外側部１２ａにスライド可能に設けられた内側部１２ｂとで形成する。そして、寝室１とトイレ２との間隔が大きくなった場合、外側部１２ａから内側部１２ｂを引き出し、制御ボックス１１の全長を長くすることで、一対の人感センサ１８による検出範囲を拡大することができる。
【００４８】
図１０乃至図１２は制御ボックスの変形例を示すこの発明の第４の実施の形態である。この実施の形態の制御ボックス１１Ａは、図１０に示すように第１の実施の形態の制御ボックス１１に比べて正面形状が正方形に近い矩形状であって、図１２に示すように平板状の本体部１２ａと、この本体部１２ａの前面に設けられた山形状のカバー１１３とからなる。
【００４９】
このカバー１１３は上記本体部１２ａの上部に固定的に設けられた上部分１１３ａと、上記本体部１２ａに着脱可能に取付けられた下部分１１３ｂとに分割され、下部分１１３ｂは下方へスライドさせることで上記本体部１２ａから取り外すことができるようになっている。そして、図示はしないが、上記下部分１１３ｂを本体部１２ａから取り外すことで、内部に設けられた乾電池１５を交換できるようになっている。
【００５０】
上記カバー１１３の上部分１１３ａの長手方向両端部には所定の角度、たとえば４５度の角度で傾斜した傾斜面１６ａが形成され、一対の傾斜面１６ａにはそれぞれ人感センサ１８が設けられている。
【００５１】
図１０に示すように、上記上部分１１３ａの長手方向中途部には明暗センサ３１が設けられている。この明暗センサ３１は制御ボックス１１が設置された廊下３などの箇所の明るさを検出し、その検出信号を第１の実施の形態に示す制御ボックス１１内に設けられた制御基板１４に出力する。
【００５２】
そして、上記人感センサ１８が人を検出し、しかも上記明暗センサ３１が検出する明るさが所定以下であるときに、第１の実施の形態に示す照明手摺り４の発光ダイオード８に上記乾電池１５の作動電圧が印加されるようになっている。
【００５３】
つまり、この第４の実施の形態では、制御ボックス１１Ａに明暗センサ３１を設けたことで、照明手摺り４が設置された廊下３の明るさが所定以下に低下したときにだけ、発光ダイオード８を点灯させるため、乾電池１５を不用に消耗させるのを防止できる。
【００５４】
なお、明暗センサ３１は上記第１乃至第３の実施の形態に示された制御ボックス１１に設けるようにしてもよい。また、明暗センサ３１を制御ボックス１１，１１Ａとは分離して設けるようにしてもよい。
【００５５】
上記各実施の形態では照明器具として照明手摺りを例に挙げて説明したが、照明器具としては照明手摺りに代わり、天井や壁面などに設けられる室内照明灯などの他の照明器具であっても差し支えなく、要は人感センサによって人を検出したときに、その検出に基づいて点灯させる必要がある照明器具であれば、この発明を適用することができる。
【００５６】
また、照明器具として照明手摺りを屋内に設ける場合を例に挙げて説明したが、照明器具を屋外に設ける場合であっても、この発明を適用することできる。とくに、屋外の場合は商用電源の確保が困難なことがあるが、そのような場合であっても、制御ボックスに設けられた電源用電池によって照明器具や人感センサに容易かつ確実に給電することができる。
【符号の説明】
【００５７】
１…寝室…トイレ、３…廊下、４…照明手摺り、５…手摺り部、８…発光ダイオード（光源）、１１，１１Ａ…制御ボックス、１４…制御基板（制御部）、１５…乾電池（電源用電池）、１６…傾斜面、１７…取付け部材、１８…人感センサ、２１…電源線、２２…信号線。
【図１】
0005526264.tif 000002
【図２】
0005526264.tif 000003
【図３】
0005526264.tif 000004
【図４】
0005526264.tif 000005
【図５】
0005526264.tif 000006
【図６】
0005526264.tif 000007
【図７】
0005526264.tif 000008
【図８】
0005526264.tif 000009
【図９】
0005526264.tif 000010
【図１０】
0005526264.tif 000011
【図１１】
0005526264.tif 000012
【図１２】
0005526264.tif 000013